(57)【要約】【課題】支杆取付用のねじのゆるみをなくし、支杆を取付杆に強固に取付けることができるようにする。【解決手段】上部腕杆（支杆）６ｃの取付端部に、固着した連結部材１０に、端面及び外周面の一部が開口する長手方向に所要長さの凹状の取付溝１７を設け、この取付溝１７に、係合溝９に係合可能な鍔部２５を先端に有する結合部材１１を、長手方向に移動可能かつ上部腕杆６ｃと直交する方向よりねじ１９により固定可能に嵌合するとともに、取付溝１７の溝底面と結合部材１１との対向面に、ねじ１９による結合部材１１の固定時において互いに摺接することにより、上部腕杆６ｃを取付杆４に近づく方向に、かつ結合部材１１を取付杆４より離れる方向に、それぞれ相対的に移動させ、  上部腕杆６ｃにおける端面と鍔部２５とにより、取付杆４の開口部の内向係止片９ｂを挟持するようにした相対移動手段１８、２２を設ける。【選択図】        図１１
2004316769.tif 000002
【特許請求の範囲】
【請求項１】
取付杆に、長手方向を向くとともに、開口部の幅を奥部の幅より小とすることにより、開口部の両端縁に内向係止片を有する係合溝を形成し、この係合溝に、支杆の端面を、取付杆と直交する方向を向くように取付ける支杆の取付構造において、
前記支杆の取付端部に、端面及び外周面の一部が開口する長手方向に所要長さの凹状の取付溝を設け、この取付溝に、前記係合溝に係合可能な鍔部を先端に有する結合部材を、長手方向に移動可能かつ支杆と直交する方向よりねじにより固定可能に嵌合するとともに、前記取付溝の溝底面と結合部材との対向面に、前記ねじによる結合部材の固定時において互いに摺接することにより、前記支杆を取付杆に近づく方向に、かつ前記結合部材を取付杆より離れる方向に、それぞれ相対的に移動させ、前記支杆における端面と前記鍔部とにより、前記取付杆の開口部に形成された内向係止片を挟持するようにした相対移動手段を設けたことを特徴とする支杆の取付構造。
【請求項２】
相対移動手段を、取付溝における溝底面と結合部材との対向面の一方に設けた、支杆と直交する方向を向くほぼＶ字状断面の突条と、同じく他方に設けた、前記突条が嵌合可能な凹条溝とよりなるものとし、かつ突条と凹条溝の一方の面に、互いに摺接する傾斜状のガイド面を形成してなる請求項１記載の支杆の取付構造。
【請求項３】
鍔部を、正面視ほぼ長方形状に形成し、その短辺方向の寸法を、開口部より係合溝内に挿入しうる寸法とするとともに、長辺方向の寸法を、係合溝の奥部の溝幅とほぼ同等とすることにより、係合溝内において開口部の両内向係止片の裏面に係止可能とし、かつ一方の対角線方向の両角部を、前記鍔部が係合溝内においてほぼ９０°回転しうるように切り欠いてなる請求項１または２記載の支杆の取付構造。
【請求項４】
支杆の取付端部に、結合部材が嵌合可能な取付溝とその溝底面に相対移動手段を有する連結部材を、着脱可能に固着した請求項１〜３のいずれかに記載の支杆の取付構造。
【請求項５】
支杆が水平をなすものにおいて、取付溝を、支杆又は連結部材の下面側に形成するとともに、その取付溝の溝底面に設けためねじ孔に、結合部材に穿設した通孔に下方より挿通したねじを螺合することにより、前記取付溝内に結合部材を固定するようにした請求項１〜４のいずれかに記載の支杆の取付構造。
【発明の詳細な説明】
【０００１】
【発明の属する技術分野】
本発明は、例えば、ワークステーション装置等に用いられる水平の梁杆などの取付杆に、棚板等を支持する支杆の端面を取付ける支杆の取付構造に関する。
【０００２】
【従来の技術】
従来、例えばポールの外周面に、奥部が断面ほぼＵ字状で、開口の左右両側に係止片を有する上下方向を向く溝部を形成し、この溝部に上方から挿入したフレーム用受け部材のめねじ部に、フレーム部材に取付けたフレーム用止着部材の貫通孔を介して、ボルトをねじ込み、フレーム用受け部材とフレーム用止着部材とにより、溝部に形成された係止片を挟持することにより、フレーム部材をポールに水平に取付けるようにしたものがある（例えば、特許文献１参照）。
【０００３】
【特許文献１】
特開２００２−１３９００７号公報（図３及び図６）
【０００４】
【発明が解決しようとする課題】
上述のような従来の取付構造では、フレーム部材の水平方向よりねじ込まれたボルトにより、フレーム用受け部材とフレーム用止着部材とを接近する方向に締付けて、係止片を挟持するようにしているため、取付け後において、フレーム部材に荷重が加わると、その荷重が直接ボルトに作用し、それがゆるむ恐れがある。
また、フレ−ム用受け部材を、ポールの溝部の上端から挿入して所定位置まで移動させる必要があるため、取付時の作業性が悪い。
【０００５】
本発明は、従来の技術が有する上記のような問題点に鑑み、支杆取付用のねじのゆるむ恐れをなくし、支杆を取付杆に強固に取付けることができるとともに、取付時の作業性を向上させうるようにした支杆の取付構造を提供することを目的としている。
【０００６】
【課題を解決するための手段】
本発明によると、上記課題は、次のようにして解決される。
（１）取付杆に、長手方向を向くとともに、開口部の幅を奥部の幅より小とすることにより、開口部の両端縁に内向係止片を有する係合溝を形成し、この係合溝に、支杆の端面を、取付杆と直交する方向を向くように取付ける支杆の取付構造において、前記支杆の取付端部に、端面及び外周面の一部が開口する長手方向に所要長さの凹状の取付溝を設け、この取付溝に、前記係合溝に係合可能な鍔部を先端に有する結合部材を、長手方向に移動可能かつ支杆と直交する方向よりねじにより固定可能に嵌合するとともに、前記取付溝の溝底面と結合部材との対向面に、前記ねじによる結合部材の固定時において互いに摺接することにより、前記支杆を取付杆に近づく方向に、かつ前記結合部材を取付杆より離れる方向に、それぞれ相対的に移動させ、前記支杆における端面と前記鍔部とにより、前記取付杆の開口部に形成された内向係止片を挟持するようにした相対移動手段を設ける。
【０００７】
（２）上記（１）項において、相対移動手段を、取付溝における溝底面と結合部材との対向面の一方に設けた、支杆と直交する方向を向くほぼＶ字状断面の突条と、同じく他方に設けた、前記突条が嵌合可能な凹条溝とよりなるものとし、かつ突条と凹条溝の一方の面に、互いに摺接する傾斜状のガイド面を形成する。
【０００８】
（３）上記（１）または（２）項において、鍔部を、正面視ほぼ長方形状に形成し、その短辺方向の寸法を、開口部より係合溝内に挿入しうる寸法とするとともに、長辺方向の寸法を、係合溝の奥部の溝幅とほぼ同等とすることにより、係合溝内において開口部の両内向係止片の裏面に係止可能とし、かつ一方の対角線方向の両角部を、前記鍔部が係合溝内においてほぼ９０°回転しうるように切り欠く。
【０００９】
（４）上記（１）〜（３）項のいずれかにおいて、支杆の取付端部に、結合部材が嵌合可能な取付溝とその溝底面に相対移動手段を有する連結部材を、着脱可能に固着する。
【００１０】
（５）上記（１）〜（４）項のいずれかにおいて、支杆が水平をなすものにおいて、取付溝を、支杆又は連結部材の下面側に形成するとともに、その取付溝の溝底面に設けためねじ孔に、結合部材に穿設した通孔に下方より挿通したねじを螺合することにより、前記取付溝内に結合部材を固定するようにする。
【００１１】
【発明の実施の形態】
以下、本発明の一実施形態を、図面に基づいて説明する。
図１は、本発明の支杆の取付構造を適用したワークステーション装置の斜視図を示している。
【００１２】
ワークステーション装置は、床面に前後左右（以下、方向は図１の右斜め下方を前、同じく右斜め上方を右として説明する）に並べて設けられた２組の同一構成のテーブル（１）（１）と、それらの対向端を支持する左右方向に長い基杆（２）と、基杆（２）の上面中央に立設された高寸の仕切りパネル（３）と、その上端の梁杆、すなわち左右方向を向く取付杆（４）に上端が止着され、かつ下端が基杆（２）により支持された前後２組の棚（５）とを備え、各棚（５）は、側面視ほぼコ字状をなす左右１対のフレーム（６）（６）間に、複数の棚（７）を取付けて構成されている。
【００１３】
前側に設けられた棚（５）（後側の棚は、同一構造につき説明を省略する）における左右のフレ−ム（６）は、パイプを折曲したものよりなり、前方を向く下部腕杆（６ａ）と、その前端より起立する縦杆（６ｂ）と、その上端より後向きに延出する水平の上部腕杆（６ｃ）とを備え、下部腕杆（６ａ）の後端に連設された下向きの延長部の下端が上記基杆（２）に、かつ上部腕杆（６ｃ）の後端が取付杆（４）の前面に、それぞれ取付けられている。
各棚板（７）は、左右の縦杆（６ｂ）の後面に係止された吊り杆（８）により水平に吊支されている。
本発明は、上述したフレーム（６）における支杆、すなわち上部腕杆（６ｃ）の後端を、取付杆（４）の前面に取付ける取付構造に適用されるものである。
【００１４】
次に、本発明の支杆の取付構造を、図２〜図１１を用いて詳細に説明する。図２及び図３は、取付杆（４）を示すもので、概ね長円形断面をなす押し出し成型品からなり、その長軸が上下方向を向くようにして水平に用いられる。取付杆（４）の上下と前後の面には、開口部（９ａ）の幅を奥部の幅より小とすることにより、開口部（９ａ）の両端縁に互いに対向する１対の内向きの係止片（９ｂ）（９ｂ）を有するほぼあり溝状断面の係合溝（９）が長手方向に全長に亘って形成されている。なお、係合溝（９）は、取付杆（４）の少なくとも前面に形成されていればよい。
【００１５】
図４は、上部腕杆（６ｃ）の後端部の側面図、図５は、上部腕杆（６ｃ）に取付けられる部材の分解斜視図で、上部腕杆（６ｃ）の後端部には、連結部材（１０）と結合部材（１１）とからなる取付部材（１２）がねじ止めされている。
【００１６】
上部腕杆（６ｃ）の後端部は、円筒の中心のほぼ下半部を切除することにより、半円筒状に形成され、その部分には、２本のねじ（１３）（１３）を挿通するための通孔（１４）（１４）が穿設されている。
【００１７】
連結部材（１０）は、上部腕杆（６ｃ）とほぼ等外径の円柱状をなし、その前部側の上半部には、正面視ほぼ台形状の段部（１０ａ）が形成され、その上面には、上記ねじ（１３）（１３）をねじ込むためのめねじ孔（１５）（１５）が形成されている。
【００１８】
なお、上部腕杆（６ｃ）の切除部の下面と、連結部材（１０）の段部（１０ａ）は、互いに補形をなす形状とされ、ねじ（１３）により互いに固定した際、がたなく密着するようになっている。
【００１９】
（１６）は、左右の連結部材（１０）同士を、左右方向を向く横杆（図示略）により連結する際に用いるねじの挿通孔である。
【００２０】
連結部材（１０）の後端部下面の中央部には、図６に示すように、下端と後端が開口する上向き凹状の結合部材（１１）の取付溝（１７）が形成されている。取付溝（１７）の溝底面の前部には、前面が後ろ下方に向かって傾斜するガイド面（１８ａ）をなすほぼＶ字状断面の突条（１８）が、連結部材（１０）と直交する左右方向を向いて形成され、また突条（１８）と近接する溝底面の後部には、結合部材（１１）取付用のねじ（１９）が螺合するめねじ孔（２０）が形成されている。
【００２１】
結合部材（１１）は、図５及び図７に示すように、連結部材（１０）における取付溝（１７）内に前後方向に摺動可能に嵌合される角柱状の胴部（２１）を備え、その上面の前端部には、上記連結部材（１０）における突条（１８）の断面形状とぼ補形をなすほぼＶ字状断面の凹条溝（２２）が、左右方向に向かって形成されている。凹条溝（２２）の深さは、突条（１８）の突出寸法よりも若干深く形成され、かつ溝の前面は、突条（１８）のガイド面（１８ａ）と同じ傾斜の前上方を向くガイド面（２２ａ）となっている。胴部（２１）における中央部には、ねじ（１９）を挿通する通孔（２３）が穿設されている。通孔（２３）の孔径は、結合部材（１１）と連結部材（１０）とが相対的に移動しうるように、ねじ（１９）の外径よりも大径としてある。
【００２２】
また、突条（１８）と凹条溝（２２）とが密に嵌合された際、胴部（２１）の前端面と取付溝（１７）の前端面との間に、若干の隙間が形成され、後述するように、ねじ（１９）を締付けたとき、連結部材（１０）と結合部材（１１）とが相対的に逆方向に移動して、係止片（９ｂ）（９ｂ）を挟持する挟持力が得られるようになっている。
【００２３】
胴部（２１）の後端には、取付杆（４）における係合溝（９）の開口部（９ａ）に遊嵌される頸部（２４）と、係合溝（９）の奥部に嵌合される縦長の長方形状の鍔部（２５）とが連設されている。鍔部（２５）は、胴部（２１）を取付溝（１７）に嵌合したとき、連結部材（１０）のほぼ中心に位置するように、胴部（２１）の中心軸よりも所要寸法上方に偏心して設けてある。
【００２４】
図８の後面図に示すように、長方形をなす鍔部（２５）における一方の対角線方向の両角部は、円弧状に若干切り欠かれており、それらの外周面の対角線方向の寸法は、取付杆（４）における係合溝（９）の奥部の上下方向の溝幅よりも若干小さく、かつ他方の対角線方向の寸法は、同じくその上下方向の溝幅よりも大としてある。
【００２５】
また、鍔部（２５）の長辺（上下）方向の最大寸法は、取付杆（４）の係合溝（９）の溝幅とほぼ等寸とされ、同じく短辺（左右）方向の寸法は、開口部（９ａ）の上下寸法より若干小寸に形成されている。
【００２６】
従って、鍔部（２５）を、その長辺を横向きとして開口部（９ａ）より係合溝（９）の奥部に挿入した後、結合部材（１１）全体を、その鍔部（２５）を中心として、正面視時計回り方向にのみ、ほぼ９０゜だけ回転させることが可能となり、この状態で、鍔部（２５）の上下両端部が係止片（９ｂ）の裏面側に係止することにより、結合部材（１１）は、係合溝（９）より離脱するのが防止される。
【００２７】
次に、図９〜図１１を参照して、取付杆（４）への上部腕杆（６ｃ）の取付要領について説明する。
まず図９に示すように、結合部材（１１）における鍔部（２５）を、その長辺が取付杆（４）における開口部（９ａ）の左右方向を向くようにして、係合溝（９）の奥部に挿入した後、結合部材（１１）全体を正面視時計回り方向にほぼ９０゜回転させることにより、鍔部（２５）を係合溝（９）内に係合させ、結合部材（１１）を取付杆（４）の前面に前向きとして取付ける。
【００２８】
ついで、図１０に示すように、上部腕杆（６ｃ）にねじ（１３）により予め固着した連結部材（１０）における取付溝（１７）を、結合部材（１１）における胴部（２１）に嵌合したのち、胴部（２１）に穿設された通孔（２３）に、下方よりねじ（１９）を挿入し、その先端部を取付溝（１７）の溝底面のめねじ孔（２０）に螺合することにより、連結部材（１０）を結合部材（１１）に仮止めする。
【００２９】
ついで、図１１に示すように、ねじ（１９）を徐々に締め込んでいくと、連結部材（１０）の突条（１８）と結合部材（１１）の凹条溝（２２）とが嵌合し合い、かつそれらのガイド面（１８ａ）（２２ａ）同士が当接して、互いに接近する方向に摺動することにより、結合部材（１１）は前方に、かつ連結部材（１０）は後方に、相対的に移動する。その結果、連結部材（１０）の後端面と、鍔部（２５）の前端面とが、係止片（９ｂ）（９ｂ）の前面と裏面に強く圧接し、それを挟持することにより、支杆である上部腕杆（１６ｃ）が取付杆  （４）に強固に取付けられる。
【００３０】
なお、上述した取付要領では、上部腕杆（６ｃ）に連結部材（１０）を予め固着した後、連結部材（１０）を結合部材（１１）に固着するようにしたが、先に連結部材（１０）のみを結合部材（１１）に固着し、その後、連結部材（１０）に上部腕杆（６ｃ）の後端部を固着するようにしてもよい。
【００３１】
以上説明したように、上記実施形態の支杆の取付構造においては、連結部材（１０）における取付溝（１７）の溝底面と、結合部材（１１）における胴部（２１）の上面とに、互いに嵌合し合う突条（１８）と凹条溝（２２）とを設けるとともに、それらに、互いに摺接する傾斜状のガイド面（１８ａ）（２２ａ）を設けたことにより、ねじ（１９）を上部腕杆（６ｃ）と直交する方向より締込むだけで、連結部材（１０）と結合部材（１１）とにより取付杆（４）の係止片（９ｂ）（９ｂ）を強力に挟持することができ、上部腕杆（６ｃ）の後端を、取付杆（４）に強固に取付けることができる。
【００３２】
しかも、ねじ（１９）は、上部腕杆（６ｃ）と直交する方向により締付けられているため、ねじ（１９）には、フレーム（６）に加わる荷重が直接作用することがないので、それがゆるむ恐れがない。
【００３３】
さらに、結合部材（１１）における鍔部（２５）における短辺方向の幅を、係合溝（９）における開口部（９ａ）の幅より若干小寸とし、かつ一方の対角線方向の両角部を円弧状に切欠いて、その対角線方向の寸法を係合溝（９）の溝幅より小としたことにより、鍔部（２５）を横向きとして開口部（９ａ）より係合溝（９）の奥部に挿入した後、結合部材（１１）全体を、その鍔部（２５）の中心軸回りに、ほぼ９０゜回転させ、鍔部（２５）を係合溝（９）内の奥部に係合することができる。このため、結合部材（１１）を、取付杆（４）の長手方向の所望の位置において簡単に着脱することができ、作業性がよくなる。
【００３４】
フレーム（６）の上部腕杆（６ｃ）は、連結部材（１０）を介して結合部材（１１）に取付けられているので、先に、連結部材（１０）のみを結合部材（１１）に取付けることができ、従ってフレーム（６）の取付作業性が良好になるとともに、上部腕杆（６ｃ）の断面形状が異なる場合でも、容易に対応することができる。
【００３５】
取付溝（１７）を連結部材（１０）の下面側に形成し、ねじ（１９）を下方より締め込むようにしているため、本発明を、上述のようなワークステーション装置等に適用する場合において、ねじ（１９）の取付作業性が良好となるとともに、ねじ（１９）や結合部材（１１）等が大きく露出しないので、ワークステーション装置等の外観的体裁がよくなる。
【００３６】
なお、取付溝（１７）や突条（１８）等を、上部腕杆（６ｃ）の後端部に直接形成し、連結部材（１０）を省略することもある。
【００３７】
また、上記実施形態では、突条（１８）を取付溝（１７）における溝底面に、かつ凹条溝（２２）を胴部（２１）の上面に、それぞれ形成したが、これとは逆に、図１２に示すように、突条（１８）を胴部（２１）の上面に、かつ凹条溝（２２）を取付溝（１７）の溝底面に、それぞれ形成してもよい。
この際、両ガイド面（１８ａ）（２２ａ）は、上記とは反対に、後部側に形成すればよい。
【００３８】
本発明は、上下方向を向く取付杆（４）に支杆を取付けたり、取付杆（４）の上下の係合溝（９）に支杆を取付けたりする際にも適用しうる。
【００３９】
【発明の効果】
請求項１記載の発明によると、支杆を取付杆に強固に取付けることができるとともに、支杆と取付杆とは、相対移動手段により固定され、支杆と直交する方向のねじには、支杆に加わる荷重が直接作用することがないので、ねじがゆるむ恐れはなく、強固な取付け状態を長期にわたって保持することができる。
【００４０】
請求項２記載の発明によると、突条と凹条溝及びそれらの傾斜状ガイド面の作用により、ねじの締付時において、支杆と結合部材とをねじと直交する方向に効果的に相対移動させることができ、したがって、支杆の取付端面と鍔部とにより、取付杆の係止片を強力に挟持することができる。
【００４１】
請求項３記載の発明によると、鍔部を横向きとして取付杆の開口部より係合溝内に挿入したのち、結合部材全体をほぼ９０°回動させることにより、係合溝内に鍔部を係合させうるので、結合部材を、取付杆の長手方向における所望の位置に着脱可能に取付けることができ、取付杆が長寸の際の作業性がよくなる。
【００４２】
請求項４記載の発明によると、連結部材を結合部材に取付けた後、支杆の端部を連結部材にねじ等により固着すればよいので、長寸または折曲部等を有する支杆でも、その取付杆への取付作業が容易となる。
【００４３】
請求項５記載の発明によると、結合部材の支杆または連結部材への取付作業性が良好になるとともに、ねじや結合部材等が支杆の下面側に位置し、外部に大きく露出しないので、外観的体裁がよくなる。
【図面の簡単な説明】
【図１】本発明の一実施形態を適用したワ−クステ−ション装置の外観斜視図である。
【図２】同じく、取付杆の正面図である。
【図３】図２のＩＩＩ−ＩＩＩ線の縦断側面図である。
【図４】支杆である上部腕杆の端部に、連結部材と結合部材を取付けた状態の側面図である。
【図５】図４の分解斜視図ある。
【図６】連結部材の拡大縦断側面図である。
【図７】結合部材の拡大縦断側面図である。
【図８】同じく、結合部材の後面図である。
【図９】取付杆に結合部材を取付けた状態の側面図である。
【図１０】結合部材に、上部腕杆に取付けた連結部材を仮止めした状態の側面図である。
【図１１】ねじを締付けて取付杆に上部腕杆を固定した状態を示す側面図である。
【図１２】相対移動手段の変形例を示す縦断側面図である。
【符号の説明】
（１）テ−ブル
（２）基杆
（３）仕切りパネル
（４）取付杆
（５）棚
（６）フレ−ム
（６ａ）下部腕杆
（６ｂ）縦杆
（６ｃ）上部腕杆（支杆）
（７）棚板
（８）吊り杆
（９）係合溝
（９ａ）開口部
（９ｂ）係止片
（１０）連結部材
（１１）結合部材
（１２）取付部材
（１３）ねじ
（１４）通孔
（１５）めねじ孔
（１６）挿通孔
（１７）取付溝
（１８）突条
（１８ａ）ガイド面
（１９）ねじ
（２０）めねじ孔
（２１）胴部
（２２）凹条溝
（２２ａ）ガイド面
（２３）通孔
（２４）頸部
（２５）鍔部
【図１】
2004316769.tif 000003
【図２】
2004316769.tif 000004
【図３】
2004316769.tif 000005
【図４】
2004316769.tif 000006
【図５】
2004316769.tif 000007
【図６】
2004316769.tif 000008
【図７】
2004316769.tif 000009
【図８】
2004316769.tif 000010
【図９】
2004316769.tif 000011
【図１０】
2004316769.tif 000012
【図１１】
2004316769.tif 000013
【図１２】
2004316769.tif 000014